(57)【要約】      （修正有）【課題】レーザー光利用による鳥害獣の追払い対策装置において、照射方向の調整やレーザー波長の変更が簡便であるとともに、機構の単純なレーザー光照射装置の実現が求められていた。【解決手段】半導体レーザー発振器１１を内蔵した光源シャフト部１０と、反射板２１及びレンズ等光学素子２２を載置してなる回動可能なターンテーブル２０とが着脱自在である鳥害獣追払い対策装置とする。【選択図】図１
0003212816.tif 000002
【実用新案登録請求の範囲】
【請求項１】
半導体レーザー発振器を内蔵した光源シャフト部と、光源シャフト部を軸として回動可能なターンテーブルと、ターンテーブルを回転駆動する駆動部と、駆動部を制御する制御機構と、レーザー発振器及び駆動部に電力を供給する電源とからなる鳥害獣追払い対策装置であって、
光源シャフト部は、軸長手方向にレーザー光が発射されるようしてなり、
ターンテーブルは、光源シャフト部からのレーザー光軸の延長上に反射板及びレンズ等光学素子が載置されてなる
鳥害獣追払い対策装置
【請求項２】
光源シャフト部及びターンテーブルは着脱自在で、任意の波長のレーザー光源や光学作用の異なるターンテーブルに交換可能なことを特徴とする
請求項１に記載の鳥害獣追払い対策装置
【考案の詳細な説明】
【技術分野】
【０００１】  本願考案は、レーザー光を害虫害獣の視覚器官に照射しておどし追い払う鳥害獣追払い対策装置に関する。
【背景技術】
【０００２】  イノシシ、鹿、猿やカラス等の鳥獣による生産緑地や人の生活空間での獣害が一層深刻化するなかで、鳥獣害防止のためのさまざまな手段が検討されてきた。【０００３】  その中で、半導体レーザー光で鳥害獣の視覚を刺激し追払う装置が各種考案され、鳥害獣の慣れによる効果の漸減や爆音などの騒音のない有効な方法として注目されている。【０００４】  鳥害獣に直接刺激を与えるべくレーザー光を空間中に出射させるうえで、レーザー光が点状かつ極めて指向性が高いため、この光源を多数配置してこれらを一定周期或いは不定期に点滅させ、全周方向に点状光を発する方法が知られている（特許文献１参照）。【０００５】  しかし、この方法では動機構が不要である利点はあるものの、一つひとつの光源からのレーザー光の出射方向は固定化するもので、光源の出射角度を多様化したり、光源にレンズを被覆し光学作用を変更したりしても、光源からの出光が固定化するために、鳥害獣を追い払ううえでその出現・活動域への調整が困難であった。【０００６】  これに対して、レンズ等光学素子を複合化させることで、レーザービームの点状の照射をシート光に変換し、その光源機構を動機構により制御してシート光を左右に回動させて鳥害獣に面的に照射させる方法も知られている（特許文献２参照）。【０００７】  この方法では、回動面に垂直な断面に対して垂直方向の線状光像が出射され、或いは異なる線状光像と複合させることで略「＋」状のビームが出射されて、光源機構自体を回動させてサーチライトの如く鳥害獣に照射できるため、点的な照射よりも格段に忌避効果が期待されるものであった。【０００８】  ビームの照射対象である鳥害獣、野生動物は、地面付近に頭を屈みこませて活動したり、あるいは樹木等の上部で活動したり、と出現・活動域が多様であるため、シート光（光像は線状）の水平移動領域を、対象とする動物の活動域に垂直方向に都度調整を必要とするものであり、特許文献２では、シート光投射装置の台座固定部において屈曲自在とされている。【０００９】  しかし、複雑な動機構部分でのレーザー発振器自体の角度調整を要するために、簡便には垂直方向のレーザー照射方向が困難であった。さらに、レーザー発振器自体を水平方向に回動させることも、電力線の取り回しの制約により、より複雑な機構により往復回動とするものとなっている。【００１０】  さらに、レーザービームの有効波長域は、主には鳥類とその他の動物類とで異なるとされ、鳥類には赤色レーザーが、その他の動物類には緑色レーザーが有効であって、上記の動機構や屈曲機構に取り込まれたレーザー発振器の場合、予め専用のレーザー波長を選定し、それを固定的に組み込んで装置を構成する必要があった。
【先行技術文献】
【特許文献】
【００１１】
【特許文献１】実用新案登録第３２０２２０５号公報
【特許文献２】特開２００９−１５３４２７号公報
【考案の概要】
【考案が解決しようとする課題】
【００１２】  先行技術では、鳥害獣、野生動物の追い払いに有効なレーザー光の照射方法が、固定的に設定される装置とならざるを得ず、簡便に照射方向や照射レーザー波長を調整することが予定されたものではなく、さらにその制御や機械機構が複雑なものとなっているため、実用的には普及が難しいものとなっていた。【００１３】  すなわち、レーザー光利用による鳥害獣、野生動物の追払い対策装置分野において、実際の使用上の照射方向の調整やレーザー波長の変更が、対象となる鳥害獣に応じて簡便にできるとともに、動機構の単純なレーザー光照射装置の実現が求められていた。
【課題を解決する手段】
【００１４】  本願考案者は、上記課題を踏まえてレーザー光照射装置の構成の検討を重ねた結果、レーザー発振器を回動機構自体から分離し、回動機構の回動軸に内包させること、回動軸の長手方向に照射されるレーザービームを反射・拡散して所定の方向に照射させる光学機構のみを回動させること、そのうえで、回動軸となるレーザー発振器の種類の変更や光学機構による照射方向の変更を、レーザー発振器や光学機構をアタッチメント化して着脱自在に交換する方法とすること、により上記課題が解決されることを見出した。
【００１５】  すなわち、本願請求項１の考案は、半導体レーザー発振器を内蔵した光源シャフト部と、光源シャフト部を軸として回動可能なターンテーブルと、ターンテーブルを回転駆動する駆動部と、駆動部を制御する制御機構と、レーザー発振器及び駆動部に電力を供給する電源とからなる鳥害獣追払い対策装置であって、光源シャフト部は、軸長手方向にレーザー光が発射されるようしてなり、ターンテーブルは、光源シャフト部からのレーザー光軸の延長上に反射板及びレンズ等光学素子が載置されてなる鳥害獣追払い対策装置である。
【００１６】  光源シャフト部及びターンテーブルは着脱自在で、任意の波長のレーザー光源や光学作用の異なるターンテーブルに交換可能なことを特徴とする前記の請求項１の鳥害獣追払い対策装置である。
【考案の効果】
【００１７】  特許文献２において、レーザー発振器を本体に固設して、光学機構を回動部として回動させる技術思想が示されている（例えば、特許文献２の［図９］、段落［０２９］乃至［０３１］等）。しかし、これは水平方向への回動照射の実施態様として説明されたものであって、それによる特段の作用効果を得ることを目的とした発明ではない。
【００１８】  これに対して、本願考案の追払い対策装置は、光源種類の変更のためや、照射方向の変更のために、光源シャフト部やターンテーブルを着脱自在にしたものであって、公知技術にはない特段の作用効果を実現するものとなっている。
【００１９】  したがって、本願考案により、鳥害獣追払いのためのレーザー照射方向の調整やレーザー波長の変更が簡便であるとともに、動機構の単純なレーザー光照射装置を実現することができる。
【図面の簡単な説明】
【００２０】
【図１】本願考案の基本構成とレーザー照射を示す説明図である。
【図２】本願考案の基本構成を上部より見た説明図である。る。
【図３】本願考案の基本構成を側面より見た説明図である。
【考案を実施するための形態】
【００２１】  本考案を実施の形態を説明する。
【００２２】  図１に本願考案の基本構成とレーザー照射を示す。本願考案では、レーザー発振器を内蔵した光源シャフト部に回動可能にターンテーブルが嵌入され、当該ターンテーブルに載置された反射板と光学素子（レンズ機構）により光源シャフト部のレーザー発振器からシャフト軸長手方向に発信されたレーザー光（直線状ビーム）を、反射及び拡散させて照射方向及び照射範囲を変換し、対象とする鳥害獣に照射する構成となっている。
【００２３】  また、図２のとおり、ターンテーブルは円周部に歯形が形成されギアとなり、駆動部のピニオンと嵌合されて、電気モーターによりターンテーブルが回転されるようになっている。
【００２４】  ギア・ピニオンによるターンテーブルの回転駆動機構は、本願考案のターンテーブルの着脱自在を実現するために最適である。歯形に代わり、例えばゴム素材など被覆された駆動軸が平滑なターテーブル外周に接触して摩擦により回動させる方法であってもよい。ベルト駆動もターンテーブルを着脱自在とする構成は検討され得るが、ベルトの着脱が煩雑であり、かつベルト調整が困難であるので、本願考案では積極的に採用されない。
【００２５】  光源シャフト部は、レーザー発振器をシャフト軸内に内蔵し、軸長手方向のターンテーブルの反射板に向けてレーザーが発信されるようになっている。光源シャフト部には、ターンテーブルが長手方向のレーザー光発信口側よりターンテーブル中心部に設けられた円形の嵌入穴に差し込むようになっており、ターンテーブルの回動の軸となる。
【００２６】  ターンテーブル面は光源シャフト部に直行して差し込まれ、同時に駆動部のピニオンとターンテーブルのギアが組み合うようにして設置される（図３）。ターンテーブルの嵌入穴と光源シャフト部とは、例えばベアリングを介して差し込まれるようにして摩擦を軽減するようしてよい。
【００２７】  ターンテーブルに載置された反射板は、光源シャフト部からのレーザー光の方向を変換するものであり、また光学素子（レンズ機構）は、直線状のレーザー光を拡散・集束させるもので、それらの組合せにより図１のとおり、鳥害獣に向けた所定の方向に、回動しながらレーザー光を効果的に照射するものである。
【００２８】  光源シャフト部から出射されたレーザー光をロッドレンズにより拡散したり、逆に集束させたりする技術は、画像スキャニング装置（スキャナＯＡ機器、ＦＡＸ機器等）分野等で光学的技術及びレンズ部品が既に確立されているため、光学素子（レンズ機構）は、鳥害獣追払い用に望ましい効果、効用を得るべく、それらの光学的な要素技術、部品を導入して所望のレーザー光に変換させる構成に設定する。
【００２９】  本願考案では、上記のようにして予め方向（反射角度）や光像が設定されたターンテーブルを複数パターン用意しておき、それを目的により着脱アタッチメントとして容易に変更して利用するものである。こうすることで、目的ごとに都度、反射板や光学素子（レンズ機構）を調整する困難性を解消することができる。
【００３０】  また、経験的に、レーザー光は、主には鳥類とその他の動物類とで異なることが知られており、鳥類には赤色レーザーが、その他の動物類には緑色レーザーが有効であるとされる。本願考案では、予め異なる波長のレーザー発振器を内蔵した光源シャフト部を設定しておき、それを目的により着脱アタッチメントとして容易に変更できるものである。
【００３１】  光源シャフト部は、着脱可能な接点により電力や制御信号を受けるようしてなり、シャフト交換の要領により目的とする周波数のレーザー発振器に変更が可能となっている。
【００３２】  本願考案は、上記のような基本構成を持つものであり、鳥害獣追払い装置として実用上の装置を構成するときは、当然に本体筐体に光源シャフト部及び駆動部が固定されるようになっており、雨露防護・防塵のためターンテーブルを覆う透明素材によるキャップで覆いがなされる。また、駆動部への電力を供給する電源と、制御基板、レーザー発振器の駆動制御機構、場合により鳥害獣の接近を感知し作動させるセンサー類やタイマー等の作動制御機構を備えるものである。
【００３３】  本願考案の装置が鳥害獣の追払い装置であることから、設置個所は一般的には外構緑地・公園や生産緑地等の屋外であり、電線による電源確保の困難性や、雨水濡れが当然に予定されるものである。このため、装置全体の筐体は防水となっているものであり、電源は、バッテリー式であっても当然よい。
【００３４】  懇願考案の装置は、上記の説明のように構成されるものであるが、実用上は多くの場合、これを複数台設置して利用することになる。このため、一台一台の設置場所、照射方向、対象動物および作動制御について、ターンテーブルや光源シャフト部をそれぞれ任意に最適なものに交換設定し、利用することでより高い鳥害獣追払い対策を実現することができる。
【産業上の利用可能性】
【００３５】  本願考案の鳥害獣追払い対策装置により、目的に応じたレーザー光源や照射方向・光面形状に簡便に変更することが可能となり、レーザー利用の鳥害獣対策装置における適用分野範囲を拡大することができる。
【符号の説明】
【００３６】１０  光源シャフト部
１１  半導体レーザー発振器
１２  レーザー光
２０  ターンテーブル
２１  反射板
２２  光学素子
３０  駆動部
３１  ピニオン
３２  モーター
４０  反射・変換されたレーザー光
【図１】
0003212816.tif 000003
【図２】
0003212816.tif 000004
【図３】
0003212816.tif 000005